(57)【要約】      （修正有）【課題】光線の明暗や色彩の異なる変化を表すと共に、メモリモジュール全体の文字の陰影、画像の陰影の明暗の変化を表わしながら、視覚効果を改善並びに強化するソリッドステートドライブモジュールを提供する。【解決手段】ソリッドステートドライブモジュール１０は、基板１１と、フラッシュメモリ１３と、遮光膜１５と、発光ダイオードとを有し、遮光膜は、不透光性の銅箔からなると共に基板の上部辺縁に接近し、フラッシュメモリは、基板に設けられると共にエッジコネクタ１８に接近して電気回路に接続され、発光ダイオードは、基板に設けられると共に電気回路に接続され、くり貫き標示部１５Ａに接近し、とりわけ遮光膜とは基板の二つの異なる側の表面に位置する。よって、発光ダイオードから発する光線は遮光膜のくり貫き標示部に向かい、特定の光パターン、文字、または線を形成し、メモリモジュール全体の文字の陰影、画像の陰影の明暗の変化を表わしながら視覚効果を強化する。【選択図】図１
0003206463.tif 000002
【実用新案登録請求の範囲】
【請求項１】
透光性と電気絶縁性を有すると共に電気回路を有し、下部辺縁には前記電気回路に接続されて外部装置のスロットに挿設されるエッジコネクタを有する基板と、
不透光性で前記基板に設けられて前記基板の上部辺縁に接近し、少なくとも一つのくり貫き標示部を有する遮光膜と、
前記基板に設けられて前記エッジコネクタに接近し、前記電気回路に接続される少なくとも一つのフラッシュメモリと、
前記基板に設けられて前記電気回路に接続され、前記遮光膜とは前記基板の二つの異なる側の表面に位置すると共に、前記少なくとも一つのくり貫き標示部に接近する少なくとも一つの発光ダイオードと、を有し、
前記発光ダイオードは、前記エッジコネクタを介して外部装置からの電力により点灯して発光し、或いは、前記発光ダイオードは、前記基板上に前記電気回路に接続される電子素子からの電力により点灯して発光することで、前記発光ダイオードから発する光線を前記遮光膜のくり貫き標示部に向けることを特徴とするソリッドステートドライブモジュール。
【請求項２】
前記遮光膜は銅箔からなることを特徴とする請求項１記載のソリッドステートドライブモジュール。
【請求項３】
前記遮光膜は、更に前記基板を遮蔽すると共に、前記少なくとも一つのフラッシュメモリ、前記エッジコネクタ、及び前記少なくとも一つの電子素子を露出させることを特徴とする請求項１記載のソリッドステートドライブモジュール。
【請求項４】
前記少なくとも一つの発光ダイオードは、前記少なくとも一つのくり貫き標示部の上部辺縁、下部辺縁、または周囲に接近して設置されることを特徴とする請求項１記載のソリッドステートドライブモジュール。
【考案の詳細な説明】
【技術分野】
【０００１】
本考案は、ソリッドステートドライブモジュールに関し、特に、不透光で複数のくり貫き標示部を有する遮光膜を基板に貼付し、発光ダイオードをくり貫き標示部付近に配置することで、発光ダイオードから発する光線をくり貫き標示部に向けて、特定の光パターン、文字、または線を表示し、光線の明暗や色彩の異なる変化を表すと共に、メモリモジュール全体の文字の陰影、画像の陰影の明暗の変化を表わしながら、視覚効果を改善並びに強化するソリッドステートドライブモジュールに関する。
【背景技術】
【０００２】
プリント基板（ＰＣＢ）とその関連電子工業界で使用されている回路モジュールは通常、回路基板と回路装置を有し、回路装置は導電線を経由して電気マルチタップに接続され、複数の発光ダイオードは回路装置と電気マルチタップの間における導電線に設置され、発光ダイオードは導電線をオンまたはオフにすることで発光の明暗を制御して、現時点での回路モジュールの操作状態を表示する。然しながら、何等遮蔽物がなければ、発光ダイオードからの光線が目に直射して、眩しかったり不快感を起こしたりする。
【０００３】
上記の問題を解決するため、周知技術の台湾実用新案登録Ｍ５０８０５３号公報には、基板と、少なくとも一つの発光ダイオードと、少なくとも半透明の導光体とを有する回路モジュールが開示されており、基板はＰＣＩ−Ｅマルチタップを有し、ＰＣＩ−ＥマルチタップはＰＣＩ−Ｅスロットに電気的に接続され、発光ダイオードは、基板におけるＰＣＩ−Ｅマルチタップに対向する側に配置されてＰＣＩ−Ｅマルチタップに電気的に接続され、特に、導光体は前記少なくとも一つの発光ダイオードを覆う。このため、発光ダイオードからの光線は導光体で屈折して吸収され、より柔和でむらのない光線になり、発光ダイオードからの光線が目に直射されて視力障害となるのを防止できる。
【０００４】
しかし、上記の周知技術のデメリットは特定構成の導光体を配置する必要があることから、全体の構成が複雑になり、設計、生産、取り付けにも不向きなうえ、導光体の配置が材料コストを押し上げる原因となり、その結果、産業上の利用可能性に悪影響を与えるため、普及率が終始高まらない状況である。
【考案の概要】
【考案が解決しようとする課題】
【０００５】
よって、簡単な遮光方法を提供し、不透光で複数のくり貫き標示部を有する遮光膜を基板に貼付し、発光ダイオードをくり貫き標示部付近に配置して、発光ダイオードから発する光線をくり貫き標示部に向けることで特定の光パターン、文字、または線を表示し、光線の明暗や色彩の異なる変化を表すと共に、メモリモジュール全体の文字の陰影、画像の陰影の明るさの変化を表わしながら、視覚効果を改善並びに強化して、背景技術における上記問題を全て解決する斬新なソリッドステートドライブモジュールが望まれている。
【課題を解決するための手段】
【０００６】
本考案の目的は、主として、基板と、少なくとも一つのフラッシュメモリと、遮光膜と、少なくとも一つの発光ダイオードとを有するソリッドステートドライブモジュールを提供することである。基板は、透光性と電気絶縁性を有すると共に電気回路を有し、基板の下部辺縁には、電気回路に接続するエッジコネクタが設けられ、エッジコネクタは外部装置のスロットに挿設される。
【０００７】
遮光膜は不透光性で基板に設けられて基板の上部辺縁に接近し、特に、少なくとも一つのくり貫き標示部を有する。フラッシュメモリは、基板に設けられてエッジコネクタに接近し、電気回路に接続される。発光ダイオードは、基板に設けられて電気回路に接続され、遮光膜とは基板の二つの異なる側の表面に位置し、例えば、遮光膜が基板の正面に設けられると、発光ダイオードは基板の反面または裏面に設けられる。また、発光ダイオードは遮光膜のくり貫き標示部に接近している。
【０００８】
なお、発光ダイオードは、エッジコネクタを介して外部装置からの電力により点灯して発光し、或いは、基板に設けられて電気回路に接続される電子素子からの電力により点灯して発光することで、発光ダイオードから発する光線が遮光膜のくり貫き標示部に向けられる。
【考案の効果】
【０００９】
本考案は全体として簡単な構成でありながら、遮光膜は不透光性で、複数のくり貫き標示部を有するため、発光ダイオードから発する光線がくり貫き標示部を照射することにより、特定の光パターン、文字、または線を形成することで、メモリモジュール全体の文字の陰影、画像の陰影の明暗の変化を表わしながら、視覚効果を強化する。
【図面の簡単な説明】
【００１０】
【図１】本考案のソリッドステートドライブモジュールの一実施例を示す斜視模式図である。
【図２】本考案のソリッドステートドライブモジュールの一実施例を示すもう一つの斜視模式図である。
【考案を実施するための形態】
【００１１】
以下、図面と符号を参照しながら、本考案の好適な実施例について、当業者が明細書に照らして理解し実施できるよう詳しく説明する。
【００１２】
図１及び図２は、本考案のソリッドステートドライブモジュールの一実施例において異なる視角から見る２つの斜視図であり、それぞれソリッドステートドライブモジュールの第１表面と第２表面、例えば正面と裏面を示すものである。図１及び図２のように、本考案の実施例におけるソリッドステートドライブモジュール１０は、基板１１と、少なくとも一つのフラッシュメモリ１３と、遮光膜１５と、少なくとも一つの発光ダイオード１７とを有し、外部装置のスロット（図示せず）に挿設され、特に視覚効果を強化する効果を有する。
【００１３】
基板１１は、透光性と電気絶縁性を有すると共に電気回路（図示せず）を有し、基板１１の下部辺縁には、電気回路に接続するエッジコネクタ１８が設けられ、エッジコネクタ１８は外部装置のスロットに挿設される。
【００１４】
遮光膜１５は不透光性で銅箔からなるのが好ましい。なお、遮光膜１５は、基板１１に設けられて基板１１の上部辺縁に接近し、少なくとも一つのくり貫き標示部１５Ａを有する。
【００１５】
フラッシュメモリ１３は、基板１１に設けられてエッジコネクタ１８に接近し、基板１１の電気回路に接続される。
【００１６】
発光ダイオード１７は基板１１に設けられて電気回路に接続され、遮光膜１５とは基板１１の二つの異なる側の表面に位置し、例えば、遮光膜１５が基板１１の正面に設けられると、発光ダイオード１７は基板１１の反面または裏面に設けられる。特に、発光ダイオード１７は、遮光膜１５のくり貫き標示部１５Ａの上部辺縁、下部辺縁、または周囲に接近して設置される。
【００１７】
また、更に少なくとも一つの電子素子１９を基板１１に配置することができ、電子素子１９は、基板１１に電気的に接続される電気回路であり、電源調節、フィルタリング、スイッチング、信号制御などといった所定の電気的機能を提供する。
【００１８】
更に具体的には、発光ダイオード１７は、エッジコネクタ１８を介して外部装置からの電力により点灯して発光し、或いは、発光ダイオード１７は、前記基板１１上で電気回路に接続される電子素子１９からの電力により点灯して発光する。電子素子１９は、電気スイッチまたは電子コントローラであり、発光ダイオード１７から発する光線を遮光膜１５のくり貫き標示部１５Ａに向ける。
【００１９】
そのため、くり貫き標示部１５Ａは、発光ダイオード１７から発する光線を介して所定の特定の光パターン、文字、または線を表し、光線の明暗や色彩の異なる変化を表すと共に、ソリッドステートドライブモジュール１０全体の文字の陰影、画像の陰影の明暗の変化を表して視覚効果を改善し強化する。
【００２０】
また、もう一つの実施例では、遮光膜１５は、基板１１の正面を完全に遮蔽して、フラッシュメモリ１３、エッジコネクタ１８、電子素子１９を露出させる。
【００２１】
以上のとおり、本考案の主な特徴は、導光素子や遮光素子を何等使用する必要がなく、遮光作用を有する遮光膜を使用し、特に、不透光性を利用して複数のくり貫き標示部を有する遮光膜を基板に貼付し、発光ダイオードの光線がくり貫き標示部に向かうように発光ダイオードを配置することで、特定の光パターン、文字、または線を表わすことができ、これにより、光線の明暗や色彩の異なる変化を表して、メモリモジュール全体の文字の陰影、画像の陰影の明暗の変化を表す。よって、本考案のソリッドステートドライブモジュールは簡単な構成で、生産や取り付けが容易であり、発光ダイオードが眩しいという欠点を解消したと共に、全体の視覚効果を改善した。
【００２２】
本考案のもう一つの特徴は、遮光膜が銅箔からなるものであり、くり貫き標示部は周知のエッチング処理により形成可能なため、特定の処理技術を開発する必要がなく、信頼性がかなり高く、産業上の利用可能性を有するものである。
【００２３】
以上の記述は本考案の好ましい実施例の説明をしたに留まり、本考案を制限するものではない。当業者は上記の説明に基づき種々の改良を行うことができ、本考案の精神並びに下記の実用新案登録請求の範囲に含まれるものである。
【符号の説明】
【００２４】
１０    ソリッドステートドライブモジュール
１１    基板
１３    フラッシュメモリ
１５    遮光膜
１５Ａ  くり貫き標示部
１７    発光ダイオード
１８    エッジコネクタ
１９    電子素子
【図１】
0003206463.tif 000003
【図２】
0003206463.tif 000004